(57)【要約】      （修正有）【課題】より簡易な構成で抽出調整が可能な飲料抽出器を低コストで提供する。【解決手段】底部に飲料抽出孔１１を有する漏斗状の飲料抽出器１において、飲料抽出孔が２個以上設けられると共に、飲料抽出孔の各々に個別に着脱可能な閉塞栓１２が用意されており、任意の飲料抽出孔に閉塞栓を取り付けて飲料抽出孔の個数を変えることにより飲料の抽出速度の調整可能な構成である。【選択図】図１
2016120263.tif 000002
【特許請求の範囲】
【請求項１】
底部に飲料抽出孔を有する漏斗状の飲料抽出器において、
前記飲料抽出孔が２個以上設けられると共に、該飲料抽出孔の各々に個別に着脱可能な閉塞栓が用意されており、
任意の飲料抽出孔に前記閉塞栓を取り付けて飲料抽出孔の個数を変えることにより飲料の抽出速度の調整可能な構成であること、
を特徴とする飲料抽出器。
【請求項２】
前記閉塞栓が、不使用時に飲料抽出器の抽出に影響しない部分に仮止固定可能な構成であることを特徴とする請求項１に記載の飲料抽出器。
【請求項３】
前記閉塞栓がシリコンその他の可撓性材料で形成されていることを特徴とする請求項１又は２に記載の飲料抽出器。
【請求項４】
前記飲料抽出器がシリコンその他の可撓性材料に形成されていることを特徴とする請求項１〜３のいずれかに記載の飲料抽出器。
【請求項５】
前記飲料抽出器の漏斗状の部分である注出本体部が収納時や不使用時に蛇腹状に折畳み可能であり、
該抽出本体部には、蛇腹状に折畳むための円形ないし楕円形の折畳み線部が漏斗状の内壁面に沿って一つ乃至は複数設けられており、
前記折畳み線部が設けられた部分が、漏斗状の外壁面に段差部又は凹条部を形成すると共に内壁面に段差又は凹条部を設けることなく略平滑面状に形成することによって注出本体部の他の部分よりも薄肉成形された構成であること、
を特徴とする請求項４に記載の飲料抽出器。
【請求項６】
前記折畳み線部の厚みが、前記抽出本体部の他の部分の厚みの３分の１以下であることを特徴とする請求項５に記載の飲料抽出器。
【請求項７】
前記折畳み線部の厚みが、１ｍｍ以下であることを特徴とする請求項５又は６に記載の飲料抽出器。
【請求項８】
前記可撓性材料がシリコン樹脂であることを特徴とする請求項３〜７のいずれかに記載の飲料抽出器。
【請求項９】
蛇腹状に折畳み可能な抽出本体部の各段腹の内、最上段の段腹を除く段腹の漏斗状の内壁面の傾斜が使用状態の際に直線状となる構成であることを特徴とする請求項５〜８のいずれかに記載の飲料抽出器。
【請求項１０】
前記最上段の段腹の内壁面の傾斜が、水平面に対して９０〜１００度の範囲であることを特徴とする請求項９に記載の飲料抽出器。
【請求項１１】
前記飲料抽出器の漏斗状の部分が平面視した際に、円形又は楕円形であることを特徴とする請求項１〜１０のいずれかに記載の飲料抽出器。
【発明の詳細な説明】
【技術分野】
【０００１】
本発明は飲料抽出器に関し、詳しくはコーヒードリッパーに代表されるドリップ抽出式の飲料抽出器に関する。
【背景技術】
【０００２】
代表的な飲料抽出器の内、一般的なコーヒー用のドリッパーは、陶磁器製、硬質プラスチック製、耐熱ガラス製、セラミックス製或いは銅製等の硬質材料から成る漏斗状の形状を有し、使用に際しては台座部をコーヒーポットやコーヒーカップの上に載置し、漏斗状の本体部の内側に沿ってペーパーフィルターをセットし、このペーパーフィルター内に挽いた豆を入れた後、湯を注いで抽出するものである。
【０００３】
上記した一般的なコーヒードリッパーは、漏斗状の底部に飲料抽出用の孔が設けられており、この飲料抽出孔の数・大きさ・配列と、用いるペーパーフィルターの形状（円錐形、拡開する扇形等）によって様々な種類のドリップ形式を有する。
【０００４】
上記したドリップ形式の種類によって、抽出速度等の違いや抽出されたコーヒーの濃度や味に違いが生じ、各人・各店等の嗜好やコーヒー豆の種類・焙煎程度等の種々条件に応じて適宜選択されている。
【０００５】
個人が家庭でドリップ抽出したコーヒーを楽しむ場合、上記したドリッパーは積み重ね収納ができずに嵩張る特殊な形状を有していることから、いくつも所有することは困難であることから一つのドリッパーのみを所有するのが一般的である。
【０００６】
そこで注出孔の部分に開孔割合を調節する開閉機構を設ける構成とすることにより、抽出量や蒸らし時間を調整することができる技術が提案されている（例えば、特許文献１〜３等参照）。
【先行技術文献】
【特許文献】
【０００７】
【特許文献１】特開２０００−０６０７３５号
【特許文献２】特開２０１１−２４００２５号
【発明の概要】
【発明が解決しようとする課題】
【０００８】
特許文献１に記載の技術は、ドリッパー底部の注出孔の大きさを弁で可変に変更できる機構を有する構成により、コーヒーの濃度を好みの濃さに変更可能とする技術である。
【０００９】
特許文献２に記載の技術は、ドリッパーの下部に、開孔割合を調節する開閉機構を有するノズルを設ける構成により、蒸らし時間と抽出時間の調整が可能となる技術である。
【００１０】
しかしこれらの技術では、開孔割合を調節する開閉機構は構成が複雑であるため、ドリッパーの価格が高くなるだけでなく、使用の際には高温の湯に常に晒されるため不具合が発生し易いという問題点を有している。
【００１１】
そこで本発明の課題は、より簡易な構成で抽出調整が可能な飲料抽出器を低コストで提供することにある。
【課題を解決するための手段】
【００１２】
上記課題を解決する本発明は下記構成を有する。
【００１３】
１．底部に飲料抽出孔を有する漏斗状の飲料抽出器において、
前記飲料抽出孔が２個以上設けられると共に、該飲料抽出孔の各々に個別に着脱可能な閉塞栓が用意されており、
任意の飲料抽出孔に前記閉塞栓を取り付けて飲料抽出孔の個数を変えることにより飲料の抽出速度の調整可能な構成であること、
を特徴とする飲料抽出器。
【００１４】
２．前記閉塞栓が、不使用時に飲料抽出器の抽出に影響しない部分に仮止固定可能な構成であることを特徴とする上記１に記載の飲料抽出器。
【００１５】
３．前記閉塞栓がシリコンその他の可撓性材料で形成されていることを特徴とする上記１又は２に記載の飲料抽出器。
【００１６】
４．前記飲料抽出器がシリコンその他の可撓性材料に形成されていることを特徴とする上記１〜３のいずれかに記載の飲料抽出器。
【００１７】
５．前記飲料抽出器の漏斗状の部分である注出本体部が収納時や不使用時に蛇腹状に折畳み可能であり、
該抽出本体部には、蛇腹状に折畳むための円形ないし楕円形の折畳み線部が漏斗状の内壁面に沿って一つ乃至は複数設けられており、
前記折畳み線部が設けられた部分が、漏斗状の外壁面に段差部又は凹条部を形成すると共に内壁面に段差又は凹条部を設けることなく略平滑面状に形成することによって注出本体部の他の部分よりも薄肉成形された構成であること、
を特徴とする上記４に記載の飲料抽出器。
【００１８】
６．前記折畳み線部の厚みが、前記抽出本体部の他の部分の厚みの３分の１以下であることを特徴とする上記５に記載の飲料抽出器。
【００１９】
７．前記折畳み線部の厚みが、１ｍｍ以下であることを特徴とする上記５又は６に記載の飲料抽出器。
【００２０】
８．前記可撓性材料がシリコン樹脂であることを特徴とする上記３〜７のいずれかに記載の飲料抽出器。
【００２１】
９．蛇腹状に折畳み可能な抽出本体部の各段腹の内、最上段の段腹を除く段腹の漏斗状の内壁面の傾斜が使用状態の際に直線状となる構成であることを特徴とする上記５〜８のいずれかに記載の飲料抽出器。
【００２２】
１０．前記最上段の段腹の内壁面の傾斜が、水平面に対して９０〜１００度の範囲であることを特徴とする上記９に記載の飲料抽出器。
【００２３】
１１．前記飲料抽出器の漏斗状の部分が平面視した際に、円形又は楕円形であることを特徴とする上記１〜１０のいずれかに記載の飲料抽出器。
【発明の効果】
【００２４】
請求項１に示す発明によれば、より簡易な構成で抽出調整が可能な飲料抽出器を低コストで提供することができる。
【００２５】
特に、閉塞栓の着脱だけで飲料抽出孔の個数を変えることができるので極めて容易にドリップ形式の変更による抽出調整が可能である。
例えば、飲料抽出孔が３個設けられた態様の場合、閉塞栓を用いることなく３個孔のまま抽出を行えば、３つ孔タイプのドリップ形式の抽出を行うことができ、３個の飲料抽出孔の内の２個に閉塞栓を取付けて閉塞して１個孔の抽出を行えば、１つ孔タイプのドリップ形式の抽出を行うことができる。即ち、取付ける閉塞栓の数を変えることにより一つの飲料抽出器で複数種類のドリップ形式の抽出が可能となる。
また、３個の飲料抽出孔の全てに閉塞栓を取付けて閉塞すれば、飲料抽出器をカップとして用いることもできる。
【００２６】
請求項２に示す発明によれば、使用していない閉塞栓を飲料抽出器の台座部や漏斗状の抽出本体部の縁等の注出に影響しない部分に取付けておくことにより閉塞栓の紛失を防ぐことができる。また、閉塞栓として飲料抽出孔の数より多く用意しておき、この多い閉塞栓を予備として取付けておくことにより、紛失に対応することもできる。
【００２７】
請求項３に示す発明によれば、閉塞栓が可撓性を有するので飲料抽出器が硬質材料製であっても、飲料抽出孔への着脱が容易であるだけでなく、閉塞した際の液密性が良好となる。
【００２８】
請求項４に示す発明によれば、シリコン樹脂は滑り難い特性を有しているため閉塞栓の取扱時に該閉塞栓・飲料抽出器・手指等が濡れている場合であっても取扱性にすぐれている。また、耐熱性が高いため劣化や損傷等が生じ難く長寿命である。
【００２９】
請求項５に示す発明によれば、積み重ね収納ができずに嵩張る特殊な形状を有している従来のドリッパーと異なり、収納性・携帯性に優れている。
また、蛇腹状に折畳むための折畳み線部が設けられた部分の内壁面に段差又は凹条部がなく略平滑面状に形成される構成によって、内壁面へのフィルターの不均一な密着を抑制することができるため、フィルター内に入れた挽いた豆に湯を注いだ際に均一な湯廻りでの抽出が可能となる。従って、収納性・携帯性に優れるだけでなく、豆の美味しさを損なうことなく飲料の抽出が可能である。
【００３０】
請求項６に示す発明によれば、折畳み線部の位置で円滑に折畳むことができる。
【００３１】
請求項７に示す発明によれば、折畳み線部の位置でより円滑に折畳むことができる。
【００３２】
請求項８に示す発明によれば、滑り難い特性を有するシリコン樹脂で形成されているため、滑り防止加工を考慮する必要がなく、コーヒーポットやカップに安定した状態で載置することができる。更に、シリコン樹脂は熱伝導性が低いため、湯を注いだ抽出直後であってもコーヒーポットやカップから飲料抽出器を素手で持って容易に片付けることができる。
更に、閉塞栓と飲料抽出器の両方をシリコン樹脂で形成した構成によれば、閉塞した部分の液密性が極めて高く、極めて簡易な構成でより完全な閉塞が可能となる。
【００３３】
請求項９に示す発明によれば、フィルター内の豆中を通る湯の均一且つ円滑な湯廻りでの抽出が可能となるため、豆の美味しさがより際立たせた抽出が可能となる。
【００３４】
請求項１０に示す発明によれば、最上段の段腹の部分がこの段腹より下段の部分よりも立った状態となるので、飲料抽出器の上部に対して手指で下方に押圧して蛇腹状に折畳む際に、最上段の段腹の部分に対して下方への押圧力が確実に伝達されることになるため、より円滑且つ容易に蛇腹状に折畳むことができる。
【００３５】
請求項１１に示す発明によれば、円形の場合には円錐形のペーパーフィルターに対応することができ、楕円形の場合には拡開する扇形のペーパーフィルターに対応することができる。
【図面の簡単な説明】
【００３６】
【図１】本発明に係る飲料抽出器の一実施例を示す５面図（平面図、正面図、左側面図、底面図、Ａ−Ａ断面図）
【図２】図１に示す飲料抽出器の折畳み状態を示す５面図（平面図、正面図、左側面図、底面図、Ｂ−Ｂ断面図）
【図３】本発明に用いられる閉塞栓の一例を示す３面図（平面図、正面図（背面図、左側面図、右側面図の各々と同一）、底面図）
【図４】図１に示す飲料抽出器の使用状態の一例を示す正面図
【図５】飲料抽出孔の閉塞構成の他の例を示す断面図
【図６】飲料抽出孔の閉塞構成の他の例を示す断面図
【発明を実施するための形態】
【００３７】
次に、添付の図面に従って本発明を詳細に説明する。
【００３８】
本発明に係る飲料抽出器は、コーヒードリッパーに代表されるドリップ抽出式の飲料抽出器であり、下記の実施例は飲料抽出器として最も一般的なコーヒードリッパーを挙げて説明する。
【００３９】
本発明の具体的な構成としては、例えば、図１〜図４に示す実施例では、
抽出本体部２がシリコンその他の可撓性材料により漏斗状に成形され、漏斗状の底部１０に３個の飲料抽出孔１１を有し、収納時や不使用時に蛇腹状に折畳み可能な飲料抽出器１であり、
抽出本体部２には、蛇腹状に折畳むための円形ないしは楕円形の折畳み線部２２が漏斗状の内壁面２１に沿って一つ乃至は複数（本実施例では二つ）設けられており、
前記折畳み線部２２が設けられた部分が、漏斗状の外壁面２３に段差部又は凹条部２４を形成すると共に内壁面２１に段差又は凹条部を設けることなく略平滑面状に形成することによって抽出本体部２の他の部分よりも薄肉成形され、
蛇腹状に折畳み可能な抽出本体部２の各段腹２０（２０Ａ・２０Ｂ・２０Ｃ）の内、最上段の段腹２０Ａを除く段腹２０Ｂ・２０Ｃの漏斗状の内壁面２１の傾斜が使用状態の際に直線状となる構成であり、
更に、前記最上段の段腹２０Ａの内壁面２１の傾斜が、水平面に対して９０〜１００度の範囲（本実施例は９８度）であること、
更に、前記飲料抽出孔１１の各々に個別に着脱可能な閉塞栓１２が用意されており、
前記飲料抽出孔１１の３個の内の両外側２個の各々に前記閉塞栓１２を取り付けて飲料抽出孔１１の個数を一つに変えることにより飲料の抽出速度の調整が可能な構成であること、
を主構成とする。
【００４０】
即ち、本実施例は、本発明の飲料抽出器１を用いて１つ孔タイプのドリップ形式の抽出を行う態様である。
【００４１】
図１〜図４において、符号２５は、濡れたフィルター４が内壁面２１に密着するのを防ぐことにより抽出経路を確保するため設けられた複数本の筋条突起を示し、また符合３は、飲料抽出器１をコーヒーカップ５（やコーヒードリッパー等）の口縁上に載置するための台座部を示し、符号６は非使用時に台所・厨房等の収納壁等に掛止することができる掛止孔を示す。
【００４２】
次に、各構成について更に詳説する。
【００４３】
抽出本体部２は、形成される材料が有する可撓性によって薄肉成形された折畳み線部２２の部分で折畳まれることによって、図２に示すように蛇腹状にコンパクトに折畳むことにができる。従って、収納性や携帯性に優れている。
【００４４】
抽出本体部２の折畳みに際しては、飲料抽出器１を上下から手で挟むように圧することにより、この圧力付加が外壁面２３に段差部又は凹条溝２４を設けることによって薄肉成形された折畳み線部２２に集中して掛かることになり、この圧力付加に屈することで折畳み線部２２に沿って抽出本体部２が折れ曲がって折畳まれることになる。
【００４５】
特に、本実施例のように、最上段の段腹２０Ａの内壁面２１の傾斜を水平面に対して９０〜１００度の範囲（本実施例は９８度）とすることによって、最上段の段腹２０Ａの部分が下段の段腹２０Ｂ・２０Ｃよりも立った状態となるので、飲料抽出器１の上部に対して手指で下方に押圧して蛇腹状に折畳む際に、最上段の段腹２０Ａの部分に対して下方への押圧力が確実に伝達されることになるため、より円滑且つ容易に蛇腹状に折畳むことができる。
【００４６】
折畳み線部２２の厚みとしては、（１）抽出本体部２の他の部分の厚みの３分の１以下であること、又は、（２）１ｍｍ以下であること、のいずれかであることが好ましく、前記（１）と（２）の両方であることがより好ましい。
【００４７】
本発明の飲料抽出器１として、例えば、２カップ容量サイズのコーヒードリッパーであって、飲料抽出器１をシリコン樹脂による一体成形とした場合、折畳み線部２２を除く抽出本体部２の厚みを４ｍｍ、薄肉成形された折畳み線部２２の最も薄い部分の厚みを０．５ｍｍ、台座部３の厚みを４ｍｍ、筋条突起２５の厚みを１．５ｍｍ、という態様を好ましい例として挙げることができる。
【００４８】
飲料抽出器１の注出本体部２及び台座部３を構成する材料としては、前述したように可撓性材料であり、具体的には、シリコン樹脂、ポリプロピレン樹脂、ポリエチレン樹脂等の可撓性合成樹脂材料等を挙げることができ、中でもシリコン樹脂が耐熱性に優れる等の点で特に好ましく、耐熱温度が−６０℃乃至は−４０℃から＋２２０℃乃至は＋２７０℃のシリコン樹脂を用いることがとりわけ特に好ましい。
【００４９】
次に、閉塞栓１２は、上記したように飲料抽出孔１１に取り付けることにより該飲料抽出孔１２の個数を変えることができるものであり、図３に示すような鼓状の形状に形成されたものを飲料抽出孔１２に圧入して取り付けることによって液密性・閉塞性をより確実にする構成とすることが好ましく、特に可撓性材料で形成することがとりわけ好ましい。尚、閉塞栓１２の形状は、図示の形状に限定されず、飲料抽出孔１１に着脱可能で且つ液密性・閉塞性を発揮する形状を有するものであればよい。
【００５０】
また、閉塞栓１２は、飲料抽出孔１１の個数に応じて用意され、所望のドリップ形式に応じて任意の飲料抽出孔１１を閉塞する。本実施例では、３個の飲料抽出孔１１の内の両外側２個に閉塞栓１２を取り付けることにより１つ孔タイプのドリップ形式による抽出としている。
【００５１】
更に、閉塞栓１２を構成する材料としては、可撓性材料であることが好ましく、具体的には、シリコン樹脂、ポリプロピレン樹脂、ポリエチレン樹脂等の可撓性合成樹脂材料等を挙げることができ、中でもシリコン樹脂が耐熱性に優れる等の点で特に好ましく、耐熱温度が−６０℃乃至は−４０℃から＋２２０℃乃至は＋２７０℃のシリコン樹脂を用いることがとりわけ特に好ましい。
【００５２】
尚、本実施例のように、飲料抽出孔１１が形成される部位の材料がシリコンその他の可撓性材料の場合には、閉塞栓１２は硬質材料製（例えば、陶磁器製、硬質プラスチック製、耐熱ガラス製、セラミックス製或いは銅製等の硬質材料）であってもよいが、可撓性材料から成る抽出本体部２と同一の材料で形成することが液密性の点で好ましい。
【００５３】
上記構成を有する閉塞栓１２は、不使用時に飲料抽出器の抽出に影響しない部分、例えば、台座部３や抽出本体部２の上縁等の部分に仮止固定する構成とすることもできる。かかる構成によれば、使用していない閉塞栓１２の紛失を防ぐことができる。また、閉塞栓１２として飲料抽出孔１１の数より予め多く用意しておき、この多い閉塞栓１２を予備として取付けておくことにより、紛失に対応することもできる。
【００５４】
以上の構成を有する飲料抽出器１を用いて飲料の抽出を行うには、台座部３をコーヒーポットやコーヒーカップ（図４に示す実施例ではコーヒーカップ５）の上に載置し、漏斗状の抽出本体部２の内側面２１に沿ってフィルター４をセットし、このフィルター４内に挽いた豆を入れた後、湯を注いで抽出する。この抽出により、１つ孔形式のドリップによるコーヒーの抽出が可能となり、一般的な３つ孔形式のドリップによる抽出に比べて、抽出速度が遅く抽出時間の長い抽出となることから、より濃厚な風味のコーヒーを得ることができる。
【００５５】
上記実施例に示す本発明の飲料抽出器１によれば、蛇腹状にコンパクトに折畳むことができるので収納性や携帯性に優れている上に、更に飲料の美味しさを損なうことなく抽出が可能である。
即ち、蛇腹状に折畳むための折畳み線部２２が設けられた部分の内壁面２１に段差又は凹条部がなく略平滑面状に形成される構成によって、内壁面２１へのフィルター４の不均一な密着を抑制することができるため、フィルター４内に入れた挽いた豆に湯を注いだ際に均一な湯廻りでの抽出が可能となるので、豆の美味しさを損なうことなく飲料の抽出が可能である。
【００５６】
以上の構成を有する本発明の飲料抽出器１は、上記実施例に限定されず、本発明の範囲内において他の態様を採ることができる。
【００５７】
例えば、上記実施例では、抽出本体部２及び台座部３をシリコンその他の可撓性材料で形成することにより蛇腹状に折畳み囲うな構成としたが、本発明はかかる構成に限定されず、陶磁器製、硬質プラスチック製、耐熱ガラス製、セラミックス製或いは銅製等の硬質材料から成る折畳まない構成のものや、可撓性材料から形成されるが折畳み部を有していない折畳まない構成のものを用いることもできる。
これらの折畳まない構成の飲料抽出器においても、２個以上の飲料抽出孔の任意の孔に閉塞栓を取り付けて該飲料抽出孔の個数を変えることにより飲料の抽出速度の調整が可能である。
【００５８】
飲料抽出孔を形成する抽出本体部の底部が硬質材料で形成された態様においても、閉塞栓をシリコンその他の可撓性材料で形成することにより、飲料抽出孔への閉塞栓の着脱が容易になると共に、閉塞した際の液密性・閉塞性が良好となる。
【００５９】
また上記実施例では、３個の飲料抽出孔１１の両外側の２個に閉塞栓１２を取り付けることにより１つ孔タイプのドリップ形式の抽出を行う態様としていたが、図５に示すように閉塞栓１２を取り付けることなく３個の飲料抽出孔１１の全てを開放状態とすることにより３つ孔タイプのドリップ形式の抽出を行う態様としてもよいし、図６に示すように中央の１個の飲料抽出穴１１のみに閉塞栓１２を取り付けることにより２つ孔タイプのドリップ形式の抽出を行う態様とすることもできる。尚、飲料抽出孔１１の全てに閉塞栓１２を取り付けることにより全ての飲料抽出孔１１を閉塞すれば飲料抽出器１をカップとして利用することができ、例えば、キャンプ等の携行品としての利用価値を高めることができる。
【００６０】
更に上記実施例では、飲料抽出孔１１の個数を３個としていたが、２個又は４個以上であってもよいし、飲料抽出孔１１の配列についても上記実施例の直線配列に限らず同心円配列やランダム配列等の他の配列とすることもできる。
【００６１】
更に上記実施例では、抽出本体部２の折畳み段数を３段としていたが、２段又は４段以上とすることもできる。
【００６２】
更にまた上記実施例では、漏斗状の部分である注出本体部２を平面視した際の形状が楕円形である態様としていたが、円形とすることもできる。楕円形、円形のいずれかにすることによって、円形の場合には円錐形のペーパーフィルターに対応し、楕円形の場合には拡開する扇形のペーパーフィルターに対応する飲料抽出器となる。
【００６３】
また、抽出する飲料としては上記実施例のコーヒーに限らず、緑茶、紅茶、ハーブティー等のようにドリップ形式によって抽出する飲料用の飲料抽出器も本発明に包含される。
【符号の説明】
【００６４】
１  飲料抽出器
１０  底部
１１  飲料抽出孔
１２  閉塞栓
２  抽出本体部
２０  段腹
２０Ａ  最上段の段腹
２０Ｂ  ２段目の段腹
２０Ｃ  ３段目の段腹
２１  内壁面
２２  折畳み線部
２３  外壁面
２４  段差部又は凹条部
２５  筋条突起
３  台座部
４  フィルター
５  コーヒーカップ
６  掛止孔
【図１】
2016120263.tif 000003
【図２】
2016120263.tif 000004
【図３】
2016120263.tif 000005
【図４】
2016120263.tif 000006
【図５】
2016120263.tif 000007
【図６】
2016120263.tif 000008